(57)【特許請求の範囲】
【請求項１】
１つの光源と、複数の停止位置を有し各停止位置毎で前記光源からの光により照光表示される指標部を設けた回転ノブを備え、
前記回転ノブの前記複数の停止位置に対応した複数の光反射面を有する光反射体を設置し、前記光源からの光が前記光反射体の前記光反射面で反射して、停止位置にある前記指標部を照光するように構成され、
前記光反射面とそれに対応した指標部停止位置との距離が、前記光源から近い所の光反射面と指標部停止位置との距離よりも前記光源から離れた所の光反射面と指標部停止位置との距離が短くなるように各光反射面がほぼ階段状に連設され、
その階段状の各光反射面の縦幅Ｗは、前記光源から近い所の光反射面から前記光源から離れた所の光反射面に行くに従って徐々に長くなっていることを特徴とする照光式操作・表示装置。
【発明の詳細な説明】
【０００１】
【発明の属する技術分野】
本発明は、例えば車載用などの照光式操作・表示装置に係り、特に１つの光源を使用した照光式操作・表示装置に関するものである。
【０００２】
【従来の技術】
通常、表示パネルの照光は、例えば指標部や表示部などの照光されるものの真下へ個別に光源を配置すればよいが、それでは光源の数が多くなり、消費電力が増え、部品点数が増加して、コスト高や組立作業の煩雑化を招く。
【０００３】
そのため車載用の照光式操作・表示装置などでは、白色成形体からなるランプハウジングと、そのランプハウジングに挿入された１つの光源と、複数の停止位置を有して光源からの光によって照光表示される指標部を設けた回転ノブを備え、光源からの光をランプハウジングの内面で反射させ、その反射光により前記指標部を照光する構成になっている。
【０００４】
この構成は光源が１つですみ、そのため低消費電力で、部品点数の削減、コストと作業工数の低減などを図ることができるが、問題がない訳けではない。
【０００５】
【発明が解決しようとする課題】
すなわち、回転ノブ（指標部）は複数の停止位置を有し、光源から近い停止位置と離れた停止位置があり、しかもランプハウジング内面での反射光量はほぼ一様である。そのため光源の比較的近くに停止している場合は指標部は明るいが、光源から離れると指標部は暗くなり、製品の品質上好ましくない。
【０００６】
このような問題点を解消するため、光源自体の照度を高めることも考えられるが、そうすれば光源のコスト高となり、消費電力ならびに光源による発熱量が増えるという欠点を有する。
【０００７】
本発明の目的は、このような従来技術の欠点を解消し、低消費電力で品質の向上が図れる照光式操作・表示装置を提供することにある。
【０００８】
【課題を解決するための手段】
前記の目的を達成するため、本発明は、
１つの光源と、複数の停止位置を有し各停止位置毎で前記光源からの光により照光表示される指標部を設けた回転ノブを備えたものを対象とするものである。
そして前記回転ノブの前記複数の停止位置に対応した複数の光反射面を有する光反射体を設置し、前記光源からの光が前記光反射体の前記光反射面で反射して、停止位置にある前記指標部を照光するように構成され、
前記光反射面とそれに対応した指標部停止位置との距離が、前記光源から近い所の光反射面と指標部停止位置との距離よりも前記光源から離れた所の光反射面と指標部停止位置との距離が短くなるように各光反射面がほぼ階段状に連設され、
その階段状の各光反射面の縦幅Ｗは、前記光源から近い所の光反射面から前記光源から離れた所の光反射面に行くに従って徐々に長くなっていることを特徴とするものである。
【０００９】
【発明の実施の形態】
本発明は前述のように、光反射体を設置することにより、光源からの光が光反射体の各光反射面で個別に反射して停止位置にある指標部を照光するから、光源に対して近い、遠いに関係なくどの位置に停止しても指標部を一様の明るさで照光でき、製品としての品質を向上することができる。また光源の照度を必要以上に高めなくても、前記光反射体により各停止位置にある指標部を明るく照光できるから、低消費電力ですみ、光源による発熱量も少ないなどの特長を有している。
【００１０】
本発明の実施の形態を図とともに説明する。図１はこの実施の形態に係る車載用照光式操作・表示装置の分解斜視図で、まずこの装置の全体の概略構成を説明する。
【００１１】
図１において符号１ａは摘み部を有するファン用回転ノブ、１ｂは摘み部を有するモード用回転ノブで、各摘み部の先端部に半透明の指標部２ａ，２ｂを有する。３は表示パネルで２つの円形の開口部４，４を有し、表示パネル３の前面にはファン用表示リング５ａとモード用表示リング５ｂが開口部４，４と同心円状に貼着されている。
【００１２】
６はほぼ箱形のランプハウジングで２つの透孔７，７を有し、その前面に前記表示パネル３が連結される。８ａはファン用シャフト、８ｂはモード用シャフトで、それぞれの駆動軸９ａ，９ｂはランプハウジング６の透孔７，７ならびに表示パネル３の開口部４，４を貫通してファン用回転ノブ１ａとモード用回転ノブ１ｂに連結されている。
【００１３】
１０はランプハウジング６の後面を塞ぐケーシングで、ランプハウジング６とケーシング１０の間に前記シャフト８ａ，８ｂが複数の停止位置で停止できるように回転可能に介在され、シャフト８ａ，８ｂの停止位置情報がこの操作・表示装置からコントローラ（図示せず）に出力されるようになっている。１１は照光用電源としてのランプで、ランプハウジング６内に臨むように挿入、設置されている。
【００１４】
図２は、照光式操作・表示装置の正面図である。同図に示すように、表示パネル３上にはファン用表示リング５ａとモード用表示リング５ｂが離れて貼着され、ファン用表示リング５ａの内側にファン用回転ノブ１ａが、モード用表示リング５ｂの内側にモード用回転ノブ１ｂが回転可能に配置されている。
【００１５】
同図に示すように前記ファン用表示リング５ａには、ファンのマークからなる表示部１２ａ、「ＯＦＦ」の文字からなる表示部１２ｂ、径が徐々に大きくなった３つの円からなる表示部１２ｃ，１２ｄ，１２ｅがそれぞれ所定の間隔をおいて設けられ、各表示部１２ａ〜１２ｅは半透明になっている。前記径が徐々に大きくなった３つの円はファンによる風量の違いを示している。ファン用回転ノブ１ａは、前記表示部１２ｂ〜１２ｅの４個所で停止でき、停止したところで回転ノブ１ａの指標部２ａが当該表示部１２と対向するようになっている。
【００１６】
モード用表示リング５ｂには、ファンによる送風方向が異なる２つの絵図からなる表示部１２ｆと１２ｇが所定の間隔をおいて設けられ、各表示部１２ｆ，１２ｇは半透明になっている。モード用回転ノブ１ｂは前記表示部１２ｆ，１２ｇの２個所で停止でき、停止したところで回転ノブ１ａの指標部部２ａが当該表示部１２と対向する。
【００１７】
図３はランプハウジング６の平面図、図４は図３の４−４線上の断面図、図５はそのランプハウジング６に一体に成形される光反射体１９の説明図である。
【００１８】
ランプハウジング６は全体が光反射率の高い白色成形体からなり、底壁１３と、その底壁１３を取り囲むように周壁１４が設けられて全体がほぼ箱形をしている。底壁１３のほぼ中央にランプ挿入孔１５が形成され、ランプ挿入孔１５を間にしてその両側に仕切壁１６，１６が設けられて、図４に示すように仕切壁１６，１６のランプ挿入孔１５側に切欠部１７が形成され、底壁１３の一部はランプ挿入孔１５側から左右の周壁１４側に向けて徐々に高くなるように傾斜している。
【００１９】
底壁１３には前記シャフト８ａ，８ｂの駆動軸９ａ，９ｂが挿通する透孔７，７が形成され、その周囲に円周壁が設けられて軸受け部２１，２１となっている。図３に示すように周壁１４の前記ランプ挿入孔１５から遠い方の角部にコーナ壁１８，１８が設けられ、コーナ壁１８と周壁１４と仕切壁１６と底壁１３により左右に２つの部屋が形成されている。
【００２０】
前記軸受け部２１，２１の近傍には、光反射体１９，１９が底壁１３から一体に立設されている。光反射体１９は図５に示すように、最もランプ１１に近い第１傾斜面２０ａと、第１傾斜面２０ａより一段高い第２傾斜面２０ｂと、第２傾斜面２０ｂより一段高い第３傾斜面２０ｃと、第３傾斜面２０ｃより一段高くランプ１１から最も遠い第４傾斜面２０ｄとを有し、各傾斜面の間が平面で接続されて階段状に形成されている。本実施の形態では傾斜面と平面の繰り返しで明確な角形の階段状になっているが、傾斜面と傾斜面の間を円弧面で結ぶこともできる。従って図５に示すように、光反射面２０とそれに対応した指標部２ａの停止位置との距離が、光源１１から近い所の光反射面２０と指標部２ａの停止位置との距離よりも光源１１から離れた所の光反射面２０と指標部２ａの停止位置との距離が短くなっている（光反射面２０ｄと指標部２ａの停止位置との距離＜光反射面２０ｃと指標部２ａの停止位置との距離＜光反射面２０ｂと指標部２ａの停止位置との距離＜光反射面２０ａと指標部２ａの停止位置との距離）。
【００２１】
また同図に示すように各傾斜面２０の縦幅Ｗは、第１傾斜面２０ａから第４傾斜面２０ｄにいくに従って徐々に長くなっており、従ってランプ１１に近い第１傾斜面２０ａからランプ１１から最も遠い第４傾斜面２０ｄにかけて光反射面積（受光面積）が徐々に増大している（光反射面２０ａの光反射面積＜光反射面２０ｂの光反射面積＜光反射面２０ｃの光反射面積＜光反射面２０ｄの光反射面積）。
【００２２】
第１傾斜面２０ａはランプ１１からの光線Ｌが表示部１２ｅと対応する位置に停止した指標部２ａの裏側から照射するように、第２傾斜面２０ｂは光線Ｌが表示部１２ｄと対応する位置に停止した指標部２ａの裏側から照射するように、第３傾斜面２０ｃは光線Ｌが表示部１２ｃと対応する位置に停止した指標部２ａの裏側から照射するように、第４傾斜面２０ｄは光線Ｌが表示部１２ｂと対応する位置に停止した指標部２ａの裏側から照射するように、各面の傾斜角度が設計されている。
【００２３】
また例えば第１傾斜面２０ａの中心部分に入射した光線Ｌは、指標部２ａの中心部分を照射するように（他の停止位置にある指標部２ａにおいても同様に）、指標部２ａと光反射体１９の位置関係が保持されている。なお、各表示部１２ａ〜１２ｅは、傾斜した底壁１３、周壁１４ならびにコーナ壁１８からの反射光によって照光される。
【００２４】
送風モードを調整する回転ノブ１ｂの指標部２ｂも同様に他方の光反射体１９によって照光され、表示部１２ｆ、１２ｇは同様に傾斜した底壁１３などによって照光される。
【００２５】
本実施の形態では回転ノブの指標部だけを光反射体により照光する場合を説明したが、例えば図３において点線で示すように光反射体の横幅を長くすれば、各停止位置の指標部と表示リングの各表示部とを照光表示することができる。
【００２６】
本実施の形態では車載用の照光式操作・表示装置の場合について説明したが、本発明はこれに限定されるものではなく、例えば家庭用あるいは事業所用の各種電気製品、測定機器、自動制御装置など他の機器や装置など各技術分野に適用可能である。
【００２７】
【発明の効果】
本発明は前述のように、光反射体を設置することにより、光源からの光が光反射体の各光反射面で個別に反射して停止位置にある指標部を照光するから、光源に対して近い、遠いに関係なくどの位置に停止しても指標部を一様の明るさで照光でき、製品としての品質を向上することができる。また光源の照度を必要以上に高めなくても、前記光反射体により各停止位置にある指標部を明るく照光できるから、低消費電力ですみ、光源による発熱量も少ないなどの特長を有している。
【図面の簡単な説明】
【図１】本発明の実施の形態に係る照光式操作・表示装置の分解斜視図である。
【図２】  その操作・表示装置の正面図である。
【図３】その操作・表示装置に用いるランプハウジングの平面図である。
【図４】図３の４−４線上での断面図である。
【図５】その操作・表示装置に用いる光反射体の説明図である。
【符号の説明】
１ａ，１ｂ  回転ノブ
２ａ，２ｂ  指標部
３  表示パネル
５ａ  ファン用表示リング
５ｂ  モード用表示リング
６  ランプハウジング
８ａ  ファン用シャフト
８ｂ  モード用シャフト
９ａ，９ｂ  駆動軸
１０  ケーシング
１１  ランプ
１２ａ〜１２ｅ  表示部
１３  底壁
１４  周壁
１５  ランプ挿入孔
１６  仕切壁
１８  コーナ壁
１９  光反射体
２０ａ〜２０ｄ  傾斜面
Ｗ  傾斜面の縦幅
Ｌ  光線
【図１】
0003779472.tif 000002
【図２】
0003779472.tif 000003
【図３】
0003779472.tif 000004
【図４】
0003779472.tif 000005
【図５】
0003779472.tif 000006